(57)【要約】      （修正有）【課題】加湿と同時に汚染粒子状物質を回収し、室内環境の改善並びに大気汚染の原因となる汚染物質の排出の削減を達成する。【解決手段】噴霧水を製造する加湿装置、噴出圧力を加えるコンプレッサー、水粒子を含む加湿空気を吹出口に導くための第１誘導管、噴霧水吹出口と併設して室内の気流を形成する圧力空気吹出口、室内に噴出し汚染粒子状物質を捕捉した水粒子を室内空気とともに回収する吸込口、該吸込口より水粒子回収除湿装置へ連続する第２誘導管とより構成し、加湿装置は外気の導入或いは水粒子回収除湿装置と第３誘導管により連結一体化することによる循環空気を導入し並びに水の供給を受けるように構成し、且つ両吹出口は加湿装置側の壁面に形成し、該吸込口は該両吹出口と対向する壁面或いはそれに近接する位置に構造体と一体化して設けた加除湿・除菌・消臭ウォールユニット。【選択図】図１
2007032975.tif 000002
【特許請求の範囲】
【請求項１】
微細化水粒子の噴霧水を製造する加湿装置、該噴霧水に噴出圧力を加えるコンプレッサー、該微細化水粒子を含む加湿空気を吹出口へ導くための第１誘導管、該第１誘導管の端部となる噴霧水吹出口、該噴霧水吹出口と併設して室内の気流を形成する圧力空気吹出口、室内に噴出した微細化水粒子により汚染粒子状物質を捕捉した水粒子を室内空気とともに回収する吸込口、該吸込口より水粒子回収除湿装置へ連続する第２誘導管とより構成し、該加湿装置は吸気口からの外気の導入或いは水粒子回収除湿装置と第３誘導管により連結一体化することによる循環空気を導入し並びに水補給装置から水の供給を受けるように構成し、且つ該両吹出口は加湿装置側の壁面に形成し、該吸込口は該両吹出口と対向する壁面或いはそれに近接する位置に構造体と一体化して設けたことを特徴とする加除湿・除菌・消臭ウォールユニット。
【請求項２】
加湿装置は、ノズルから噴出された水を内壁面、板体或いは衝突物体等に衝突させることにより微細化水粒子とすることを特徴とする請求項１に記載の加除湿・除菌・消臭ウォールユニット。
【請求項３】
両吹出口は、室内空間を形成する壁面に設けた孔と連結することにより一体化してなることを特徴とする請求項１又は２に記載の加除湿・除菌・消臭ウォールユニット。
【請求項４】
吸込口を形成する第２誘導管を天井面に沿って延設し、その先端開口部を対向側壁面或いはそれに近接した位置に設けたことを特徴とする請求項１ないし３のいずれかに記載の加除湿・除菌・消臭ウォールユニット。
【請求項５】
吸込口を形成する第２誘導管を床面に沿って延設し、その先端開口部を対向側壁面或いはそれに近接した位置に設けたことを特徴とする請求項１ないし３のいずれかに記載の加除湿・除菌・消臭ウォールユニット。
【請求項６】
水粒子回収除湿装置は、加湿装置の噴霧水吹出口から噴出した微細化水粒子により捕捉した各種雑菌及び臭い成分等の汚染粒子状物質を室内空気とともに吸込口より取り込んで除湿・除菌・消臭し、該除湿・除菌・消臭した空気を再度加湿装置に利用できるように第３誘導管により連結し、該加湿装置と水粒子回収除湿装置とが循環型となるように構成してなることを特徴とする請求項１ないし５のいずれかに記載の加除湿・除菌・消臭ウォールユニット。
【発明の詳細な説明】
【技術分野】
【０００１】
本発明は、タバコの煙や臭い及びその他各種雑菌等の汚染粒子状物質を室内に噴霧した微細化水粒子に吸着させ、気流の効率の良い移動により汚染物質付着水粒子を回収することにより、喫煙者が快適な状態で喫煙できる空間及び非喫煙者がタバコの煙や各種雑菌等に悩まされることのない快適な空間を提供することのできる壁に嵌め込み自在な加除湿・除菌・消臭ウォールユニットに関するものである。室内空間としては喫煙をする施設やリラックス状態を必要とする飲食・軽食等を目的とする施設、リフレッシュバー等の施設に適用できるユニットである。
【背景技術】
【０００２】
従来より、喫煙者によるタバコの煙は室内の空気中に拡散し、室内の空気を汚染し、該汚染された空気を喫煙者とともに非喫煙者も体内に取り込んでいた。また、室内には花粉症の原因となる微細浮遊物、微細塵芥、各種雑菌及び悪臭の原因となる微細物質等の汚染粒子状物質が数多く存在し、快適な室内空間といえないことが多かった。
上記劣悪な室内環境を改善するべく、換気設備を備えて室内の浄化が行なわれているが、それらは主として単に室内の空気を入れ換えるだけであり、それによって室内が乾燥しすぎたり、室外の雑菌や悪臭を取り込んでいた。
【０００３】
また、室内空気と室外空気とを入れ換えると同時に、加湿手段により室内空気の加湿が行なわれているが、当該加湿は、粒径の大きな水粒子によって行なわれるため水滴が多く発生し、カビの原因となったり、室内の一部の加湿に成功するのみで、室内全体を快適な湿度環境とすることはできなかった。
【０００４】
更に、タバコの煙に関して述べるならば、その除去は主として室内空気を入れ換えることによって行なっているが、室内の温度や湿度を保つ関係上、換気回数は限られ、その煙が室内に浮遊している時間も長くなり、在室者はそれらの多くを体内に取り込む状態となっていた。
【０００５】
そこで、喫煙場所を別途の位置に集中させる分煙手段が多く採用されるようになってきている。
上記分煙手段として、室内の一角に喫煙スペースを設けたり、喫煙のための区画された喫煙室を設け、喫煙者は当該場所で喫煙するようにしている。しかし当該スペースでの喫煙は上記したことと同様な状態が生じることになり、例えば、喫煙者の脚側に吸引手段を設けた灰皿付テーブルでは、フィルターを通して煙を含む空気を吸引し、該フィルターにより煙を浄化し、浄化された空気を室内へ戻す構造が採用され、煙が室内に蔓延することを防止している。
【特許文献１】特開２００４−２１１９２６号公報
【特許文献２】特願２００４−３３２２９２号
【発明の開示】
【発明が解決しようとする課題】
【０００６】
上記従来技術による室内の一区画での分煙手段では、当該場所に換気設備を完備したとしても吹出口と吸込口とがほぼ近接した位置に設けられているため煙は室内に拡散して浮遊し、その後、室外へ排出されることになり、在室者はそれら煙を吸い込む状態となっていた（特開２００４−２１１９２６号公報）。また、区画された喫煙コーナーや喫煙室でも、当該箇所のみを特別な換気設備を完備することは設備全体の設計上或いは価格上困難なことであり、仮に、高価な代償のもと排煙設備を充実したとしても、上記と同様、煙が室内に浮遊する時間が長く、喫煙者にとって快適な室内環境下で喫煙することはできなかった。
更に、室内が乾燥すること及び煙が室内に浮遊することにより喫煙者に不快を与え、同時に、タバコから発生するヤニが壁や天井に付着し、室内を汚す原因ともなっていた。
また、上記灰皿付テーブルの浄化システムでは、煙の取り除きが十分でないばかりか、フィルターの目詰まりによる該フィルターの使用期限が早期に到来し、その取り換えの煩雑さや使用済フィルターの処理が問題となっていた。
【０００７】
上記では喫煙に基づく煙の状態について述べたが、タバコを原因とする汚染粒子状物質に限らず他の汚染粒子状物質が浮遊する室内空間は多数存在する。
そこで出願人は、図９で示す水を微細化水粒子の噴霧水として噴出し、室内を加湿すると同時に室内空気中に浮遊する煙の臭い成分や各種雑菌等の汚染粒子状物質を捕捉し、それら物質を捕捉した微細化水粒子を空気とともに吸引し、除湿するというシステムを創案した。
【０００８】
上記出願人が創案したものは、噴出した微細化水粒子を含む気流を上方から下方に向かわせることにより、捕捉した浮遊汚染物質を短時間に回収することに成功したが、これでも必ずしも十分とはいえなかった。当該気流は円運動することになり、従って、煙や悪臭が身体に取り込まれたり衣服や壁面に触れたりする時間を許容し、在室者にとっては必ずしも快適な空間が得られるとは限らなかった（特願２００４−３３２２９２号）。
【０００９】
本発明は、気流の移動を効率化することにより、身体への加湿と同時に、室内の汚染粒子状物質を速やかに回収し、室内の乾燥を防止し、煙、各種雑菌、微細塵芥及び悪臭成分等による劣悪な室内環境の改善並びに大気汚染の原因となる汚染物質を室外へ排出することを防止し、且つ汚染廃棄物の削減を達成したものである。
【課題を解決するための手段】
【００１０】
本発明は、上記目的を達成するため、微細化水粒子の噴霧水を製造する加湿装置、該噴霧水に噴出圧力を加えるコンプレッサー、該微細化水粒子を含む加湿空気を吹出口へ導くための第１誘導管、該第１誘導管の端部となる噴霧水吹出口、該噴霧水吹出口と併設して室内の気流を形成する圧力空気吹出口、室内に噴出した微細化水粒子により汚染粒子状物質を捕捉した水粒子を室内空気とともに回収する吸込口、該吸込口より水粒子回収除湿装置へ連続する第２誘導管とより構成し、該加湿装置は吸気口からの外気の導入或いは水粒子回収除湿装置と第３誘導管により連結一体化することによる循環空気を導入し並びに水補給装置から水の供給を受けるように構成し、且つ該両吹出口は加湿装置側の壁面に形成し、該吸込口は該両吹出口と対向する壁面或いはそれに近接する位置に構造体と一体化して設けた加除湿・除菌・消臭ウォールユニットを特徴とする。
【００１１】
また、加湿装置は、ノズルから噴出された水を内壁面、板体或いは衝突物体等に衝突させることにより微細化水粒子とする加除湿・除菌・消臭ウォールユニットを特徴とする。
【００１２】
更に、上記両吹出口は、室内空間を形成する壁面に設けた孔と連結することにより一体化してなる加除湿・除菌・消臭ウォールユニットを特徴とする。
【００１３】
また、吸込口を形成する第２誘導管を天井面に沿って延設し、その先端開口部を対向側壁面或いはそれに近接した位置に設けた加除湿・除菌・消臭ウォールユニットを特徴とする。
【００１４】
更に、吸込口を形成する第２誘導管を床面に沿って延設し、その先端開口部を対向側壁面或いはそれに近接した位置に設けた加除湿・除菌・消臭ウォールユニットを特徴とする。
【００１５】
また、水粒子回収除湿装置は、加湿装置の噴霧水吹出口から噴出した微細化水粒子により捕捉した各種雑菌及び臭い成分等の汚染粒子状物質を室内空気とともに吸込口より取り込んで除湿・除菌・消臭し、該除湿・除菌・消臭した空気を再度加湿装置に利用できるように第３誘導管により連結し、該加湿装置と水粒子回収除湿装置とが循環型となるように構成してなる加除湿・除菌・消臭ウォールユニットを特徴とする。
【発明の効果】
【００１６】
本発明は、微細化水粒子を室内に噴霧することによるクラスタにより皮膚を構成する細胞への加湿が十分に行なわれ、身体の乾燥化を防止することができると同時に、噴霧する直前に微細化水粒子へと分裂させているためレナード効果を推進し、該微細化水粒子により室内に浮遊する汚染粒子状物質を捕捉・除去することを可能とした。
【００１７】
また、室内に噴霧された微細化水粒子を含む気流の移動をほぼ直線的としたことにより、捕捉した汚染粒子状物質が室内において浮遊する時間を短縮化し、それらを速やかに回収し、喫煙者或いは非喫煙者を問わず快適な室内環境を得ることを可能とした。
【００１８】
上記により、室内空間の清浄化能力が格段と高まり、非喫煙者への受動喫煙防止に絶大なる効果を奏することに成功した。
【００１９】
更に、室内の温度や湿度を保持する状態と室内の汚染粒子状物質を除去することとを同時に行うことができるので、省エネルギー化を達成することを可能とした。
【００２０】
また、全体をユニット化することにより小型化及び標準化され、構造体との一体化が容易となり、且つその際の据え付けや移動が簡単で、コストの削減を可能とした。
【発明を実施するための最良の形態】
【００２１】
以下、本発明の実施例を図面を参照して説明する。
図１は、本発明の加除湿・除菌・消臭ウォールユニットを使用した室内空間の気流を示す概略図である。１は加除湿・除菌・消臭ウォールユニット（以下、ウォールユニットという）を示し、該ウォールユニット１は、図２、図３に示すように、該ウォールユニット１内に微細化水粒子の噴霧水を製造する加湿装置２、該加湿装置２により製造された噴霧水を室内へ噴出するために圧力を加えるコンプレッサー３、微細化水粒子を含む加湿空気の通路となる第１誘導管４、該第１誘導管４の室内側出口となる噴霧水の吹出口５、該噴霧水吹出口５より噴霧された微細化水粒子を一定方向へ移動させるための空気吹出口５´、該噴霧水吹出口５より噴出された噴霧水により室内に浮遊している各種雑菌や悪臭等の汚染粒子状物質を捕捉して回収する室内側入口となる吸込口６、該吸込口６より第２誘導管７を通じて汚染粒子状物質を捕捉した空気を回収する水粒子回収除湿装置８とより構成している。
【００２２】
上記加湿装置２は、室内空間の空気の加湿を行なうための微細化水粒子の噴霧水を製造し、それらを室内空間へ噴出するための装置である。該微細化水粒子の製造には下記に示すような手段がある。
以下に実施例１〜３として加湿装置の実施例を説明する。
【実施例１】
【００２３】
図２〜４に示すように、水は新鮮水補給装置９から配管１０を通じ加湿装置２内の噴霧ノズル１１へと供給され、コンプレッサー３の圧力により該噴霧ノズル１１から各経路を経て微細化水粒子の噴霧水として噴霧水吹出口５より室内空間へ噴出させている。
【００２４】
該加湿装置２は、噴霧ノズル１１、該噴霧ノズル１１を囲むようにして天井面から下方へ延出した筒状のコア隔壁１２、該コア隔壁１２下端の開口部１３、該開口部１３に対向する中心部に向かって傾斜する傾斜板１４、該コア隔壁１２、傾斜板１４及び加湿装置２の内壁１５によって囲まれた微細化水粒子浮遊空間１６、該傾斜板１４の下方に設けられたコンプレッサー３、外気を取り入れる吸気口１７或いは後述する水粒子回収除湿装置８から取り入れた空気を該コンプレッサー３の風圧力により該浮遊空間１６へ送り込むための通路となる通気口１８並びに微細化水粒子を室内空間へ噴出する噴霧水吹出口５とより構成している。
【００２５】
該噴霧ノズル１１は、加湿装置２内の天井面から中心部に向かって斜め下方に向け、筒状コア隔壁１２の上部隅部に並設して適数個を設置し、該適数個の噴霧ノズル１１から噴出された噴霧水は、各々中心部に向かって吐出し、相互に衝突することになる。
【００２６】
該噴霧ノズル１１からの噴霧水の水粒径は、少なくとも５０μｍ以下のものが噴出される細孔ノズルとし、上記衝突により噴霧水の破砕を行なう。更に、該噴霧水は下方へ向かい、コア隔壁１２の内壁とも衝突しながら開口部１３からコア隔壁１２外へ吐出させ、底部に設置した傾斜板１４に衝突し再破砕が行なわれる。
【００２７】
該再破砕によって多くの水粒子は微細化水粒子となり、浮遊空間１６で浮遊状態となるが、そのようにならなかった大粒径水粒子は、傾斜板１４に沿ってその底部開口部１９より排出される。
上記再破砕により、噴霧ノズル１１からの噴出時点では８μｍ以下の水粒子の量は８〜１６％であったが、空中衝突により３０〜４３％とその量が増加され、傾斜板１４への衝突による再破砕効果により４０〜４６％へと更に増加された。また、８μｍ以上の大粒子径の凡そ７３％は排出され、新鮮水補給装置９へ戻り水として回収することができる。
【００２８】
上記により、必要とする８μｍ以下の微細化水粒子の量を大幅に増加させ、コンプレッサー３により０．２ｍ／ｓｅｃ〜０．４５ｍ／ｓｅｃの速度で該微細化水粒子の噴霧水を吹出口５より噴出して室内空間を加湿する。
【実施例２】
【００２９】
図５は、加湿装置の他の実施例を示している。２０は、加湿装置における噴霧ノズルを示している。流体ノズルを構成するところの加圧水噴出用ノズルであり、該加圧水噴出用ノズル２０は、複数のノズル部２１が、略矩形枠状の筐体２２の下面側に直列に連続するように一体成形されている。
【００３０】
このような筐体２２に対する複数のノズル部２１の一体化構造は、例えばＮＣマシニング加工や金型ダイカスト、鋳物等の金属鋳造方式等を使って形成される。
【００３１】
また、筐体２２の開口部側両端には、Ｌ字突片状の取付面部２３が形成され、筐体２２の開口部側を、加湿装置に内設された加圧水供給用の給水口２４を覆うようにして、筐体２３の取付面部２３を給水口２４の周辺面部にあてがってから、例えばＯリング又はパッキン等の水密封止部材２５を介してネジ止め２６等によって固定されるようにしている。
【００３２】
そして、これら複数のノズル部２１の先端内部においてテーパ状内壁部２７を介して中央に噴出口２８が穿設され、該噴出口２８のそれぞれが、下方において横向きに架設させた円柱体状の衝突物体２９に沿って相対向して配置されるようにしている。
【００３３】
この噴出口２８は、加圧水噴出用ノズル２０の筐体２２の取り付けに際し、テーパ状内壁部２７によって囲まれた中央薄肉部分を、キリ等によって任意の口径に切削すること（図における矢印）で当該噴出口２８が形成できるようにしている。上記構成により、水圧力を加えられた水は給水口２４より加圧水噴出用ノズル２０に導入され、該加圧水噴出用ノズル２０におけるノズル部２１の噴出口２８から例えば水圧力約２ＭＰａ前後、レイノルズ数約１３０００前後の加圧水を噴出落下させて勢いよく衝突物体２９の表面上に衝突させる。このとき、衝突物体２９近傍には５０μｍ以下の水の粉砕粒子が形成される。そして、この水の粉砕粒子を上記実施例１と同様な隔壁等に衝突させて所定空間を通過させることで０．５〜１０μｍ程度の噴霧状微細化水としてから室内空間へ噴出させる。
【実施例３】
【００３４】
図６は、加湿装置における噴霧ノズル部の他の実施例を示している。加圧水噴出用ノズル３０は、略円形枠状の筐体３２の下面側を内側、すなわち開口部側へ向けて円弧状に窪ませることにより凹部が形成されている。そして、該凹部には、複数のノズル部３１が互いに等間隔に配置されるようにして形成されている。
【００３５】
これら複数のノズル部３１の先端内部においてテーパ状内壁部３７を介して中央に噴出口３８が穿孔形成され、該噴出口３８のそれぞれが、下方において固設させた球体状の衝突物体３９に等間隔で相対向して配置されるようにしている。
【００３６】
すなわち、筐体３２の下面側において凹部を形成する球状の内壁面と、球体状の衝突物体３９の表面との間隔は常に同じ距離となるように、球状の内壁面の対称中心位置に衝突物体３９の球の中心が位置するように配置されている。
【００３７】
実施例３の加湿装置も、上記実施例２と同様、加圧水を噴出落下させて勢いよく衝突物体３９の表面上に衝突させることで５０μｍ以下の水の粉砕粒子を形成しておき、更に、この水の粉砕粒子を隔壁等に衝突させて所定空間を通過させることで０．５〜１０μｍ程度の噴霧状微細化水としてから室内空間へ噴出させるようにしている。
【００３８】
次に、噴霧水吹出口５は、図１に示すように、ウォールユニット１の室内空間側に開口し、上記実施例１〜３に示すような加湿装置２で製造された微細化水粒子を該室内空間に噴出させる。該噴霧水吹出口５は、室内の側壁となる構造体と一体化し、その吹出口５は壁面に開口させ、対向する側壁へ向かって微細化水粒子を噴出させる。
【００３９】
上記微細化水粒子は、その粒子径がタバコの煙、微細塵埃及び各種雑菌、臭い成分等とほぼ同一とされ、それにより浮遊している上記汚染粒子状物質は微細化水粒子に吸着され、室内空間の対向側壁側へと移動することになる。
【００４０】
上記噴霧水吹出口５は、図１、３に示すように、ほぼ人の上半身の高さを中心位置とする箇所に構造体と一体化して設け、喫煙者から出る煙の粒子等を空気中で捕捉することになる。同図に示すように、該噴霧水吹出口５の上下の位置に空気吹出口５´を設け、微細化水粒子の噴霧水の流れを対向する側壁側へ移動させることを加速させる。上記吹出口５、５´は、壁面板４０に形成された開口部に連結されることになる。
【００４１】
加湿装置２から噴出される噴霧状微細化水粒子は、上記空気吹出口５´の吹出力によりその移動が加速され、室内空間へ０．２ｍ/ｓｅｃ〜０．４５ｍ/ｓｅｃの速度で移動することになる。上記移動により所定場所においてレイノルズ係数を低く保ち、整流域で気流を生じさせ、室内における均一な加湿環境を作ると共に空気中のアンモニア態窒素粒子及びアミノ酸態窒素粒子等の悪臭要因である浮遊粒子状物質を当該噴霧水に付着させる。同時に、本発明による実験により、８μｍ以下を最適とし最大１８μｍの水粒径域において、上記同様、空気中に浮遊している大腸菌を筆頭とする各種雑菌類が当該噴霧水に効率良く付着する事が判明し、それ等汚染粒子状物質を付着した水粒子を回収除湿装置８の除湿フィンよりコンプレッサー３の作動により吸引回収することにより除湿・除菌・消臭を行ない、それにより室内を最良の除湿・除菌・消臭環境とすることを可能とした。
【００４２】
図２、３に示すように、加湿装置２から第１誘導管４により一方は微細化水粒子の噴霧水として吹出口５より噴出させ、上記第１誘導管４を分岐し、コンプレッサー３の圧力により空気吹出口５´からは空気が上記の速度で吐出され、室内空間に所定方向への流れを形成している。
【００４３】
上記構成により、室内空間の反対側側壁に移動する１８μｍ以下の主として０．５〜１０μｍの微細化水粒子は、タバコの煙の粒子を含め、各種の汚染粒子状物質を捕捉し、吸込口６へと誘導させる。
【００４４】
第２誘導管７は、回収除湿装置８と連結され、且つ図２、３のものは該加湿装置２とも第３誘導管７´を通じて連結される。従って、加湿装置２で製造された微細化水粒子は噴霧水吹出口５から噴出し、空気吹出口５´からの空気の吐出力によりその移動速度を増加させ、第２誘導管７内の負圧状態により、微細化水粒子によって捕捉した汚染粒子状物質を含む室内空気を誘導管７内へ導くことになる。
【００４５】
該第２誘導管７の先端部となる吸込口６は、両吹出口５、５´の対向側壁側にその開口部を設け、該第２誘導管７により水粒子回収除湿装置８へと経路が形成されている。実施例として、該第２誘導管７は室内の天井面に沿う位置に配置され、その下部側は、天井の一部を構成するように被覆板４１を形成する。該被覆板４１の先端側は、上方へ湾曲状にせり上がった湾曲板４２を形成し、室内の天井４３との間に隙間Ｈを形成する。上記湾曲板４２により在室者は吸込口６となる開口部を可視することができない状態としている。上記誘導管７は、天井面に近接した側壁上端部でもよい。
【００４６】
なお、図１〜３では、吸込口を天井側に設けたが、設置場所或いは室内のレイアウト等の関係上、図７に示すように対向側壁側の床面に設けることもできる。この場合、吸込口を壁面に沿って立ち上げた箇所に設けることもできるが、同図７に示すように床面の場合、床面と面一となるようにグレーチング４４を設け、該グレーチング４４の直下を吸込口の開口部４５とし、微細化水粒子とその捕捉物質を第２誘導管４６を通じて水粒子回収除湿装置８へ送り込むことも可能である。
【００４７】
水粒子回収除湿装置８は、図８に示すように、室内の除湿及び空気の浄化を行なう装置で、前記した加湿装置２の噴霧水吹出口５から室内に噴出した微細化水粒子及びそれらにより捕捉された汚染粒子状物質を含む室内空気を吸引する装置である。
【００４８】
該水粒子回収除湿装置８は、吸込口６よりコンプレッサー３による負圧吸引力により吸引した空気及び汚染粒子状物質を捕捉した微細化水粒子を冷却コイル４７を介して冷却し、該冷却により減湿させている。そして、汚染粒子状物質を含む水粒子は、除湿水受け皿４８及び排水管４９を通じて排水タンク５０に貯留され、同時に、空気は浄化されて該コンプレッサー３の吸引力により排気口５１より排出される。
【００４９】
上記排水タンク５０に溜まった雑菌等の汚染粒子状物質を含む回収水は、ポンプ５２の作動により漸次タンク外へ排出される。
該排水タンク５０内には紫外線を使用した殺菌灯５３を設置し、該殺菌灯５３を点灯させることにより回収水に含まれる雑菌等を除菌或いはその繁殖を防止することができる。
【００５０】
図４における吸気口１７と図７における排気口５１は、外部空間へ開放した状態とすることもできるが、両者を第３誘導管７´により連結することにより加湿、除湿、消臭及び雑菌、塵埃等の処理等を一連の工程で行なう循環型のユニットとすることができる。
【図面の簡単な説明】
【００５１】
【図１】本発明の加除湿・除菌・消臭ウォールユニットを使用した室内の気流を示す概略側面図。
【図２】本発明の加除湿・除菌・消臭ウォールユニットの側断面図。
【図３】本発明の加除湿・除菌・消臭ウォールユニットを建物に据え付け一体化した状態の側断面図。
【図４】本発明の加除湿・除菌・消臭ウォールユニットにおける加湿装置の側断面図。
【図５】本発明の加除湿・除菌・消臭ウォールユニットにおける加湿装置の噴霧ノズル部の他の実施例を示す側断面図。
【図６】本発明の加除湿・除菌・消臭ウォールユニットにおける加湿装置の噴霧ノズル部の他の実施例を示す側断面図。
【図７】本発明の加除湿・除菌・消臭ウォールユニットにおける吸込口を示す他の実施例の側断面図。
【図８】本発明の加除湿・除菌・消臭ウォールユニットにおける水粒子回収除湿装置の側断面図。
【図９】従来の加湿装置による室内の気流を示す概略側面図。
【符号の説明】
【００５２】
１          ウォールユニット
２          加湿装置
３          コンプレッサー
４          第１誘導管
５          噴霧水吹出口
５´        空気吹出口
６          吸込口
７          第２誘導管
７´        第３誘導管
８          水粒子回収除湿装置
９          新鮮水補給装置
１０          配管
１１          噴霧ノズル
１２          コア隔壁
１３          開口部
１４          傾斜板
１５          内壁
１６          微細化水粒子浮遊空間
１７          吸気口
１８          通気口
１９          底部開口部
２０、３０    加圧水噴出用ノズル
２１、３１    ノズル部
２２、３２    筐体
２３          取付面部
２４          給水口
２５          水密封止部材
２６          ネジ止め
２７、３７    内壁部
２８、３８    噴出口
２９、３９    衝突物体
４０          壁面板
４１          被覆板
４２          湾曲板
４３          天井
４４          グレーチング
４５          開口部
４６          第２誘導管
４７          冷却コイル
４８          除湿水受け皿
４９          排水管
５０          排水タンク
５１          排気口
５２          抜き取りポンプ
５３          殺菌灯
【図１】
2007032975.tif 000003
【図２】
2007032975.tif 000004
【図３】
2007032975.tif 000005
【図４】
2007032975.tif 000006
【図５】
2007032975.tif 000007
【図６】
2007032975.tif 000008
【図７】
2007032975.tif 000009
【図８】
2007032975.tif 000010
【図９】
2007032975.tif 000011